(57)【要約】【課題】輝度の低下を抑えるとともに、画像の色合いを最適に調整すること。【解決手段】画像信号の入力を受け、右目用画像及び左目用画像を交互に表示するための信号へ変換する映像信号制御部１２０と、映像信号制御部１２０において変換された信号が入力され、右目用画像と左目用画像を交互に表示する液晶表示パネル１３４と、液晶表示パネル１３４を背面から照射するバックライト１３６と、鑑賞用眼鏡２００に対して、右目用及び左目用の液晶シャッター２００ａ，２００ｂのオープン期間を示すタイミング信号を発生させ、バックライト１３６の発光タイミングに対して液晶シャッターのオープン期間を相対的に変化させるシャッター制御部１２２と、右目用画像と左目用画像の切り換えに応じて、液晶シャッターのオープン期間よりも短い期間でバックライト１３６を発光させるバックライト制御部１２８と、を備える。【選択図】図２
2011069963.tif 000002
【特許請求の範囲】
【請求項１】
画像信号の入力を受け、右目用画像及び左目用画像を交互に表示するための信号へ変換する信号制御部と、
前記信号制御部において変換された信号が入力され、右目用画像と左目用画像を交互に表示する表示パネルと、
前記表示パネルを背面から照射する面光源と、
右目用と左目用のシャッターを備える鑑賞用眼鏡に対して、前記右目用及び左目用のシャッターのオープン期間を示すタイミング信号を発生させ、前記面光源の発光タイミングに対して前記シャッターのオープン期間を相対的に変化させるシャッター制御部と、
前記右目用画像と左目用画像の切り換えに応じて、前記シャッターのオープン期間よりも短い期間で前記面光源を発光させる面光源制御部と、
を備える、画像表示装置。
【請求項２】
画像の色合いを調整するための情報が入力される入力部を備え、
前記シャッター制御部は、前記入力部に入力された情報に基づいて、前記シャッターのオープン期間を変化させる、請求項１に記載の画像表示装置。
【請求項３】
前記タイミング制御部は、前記入力部に画像の色温度を高くする旨の情報が入力された場合は、前記面光源の発光タイミングに対して前記シャッターのオープン期間のタイミングを相対的に遅くする、請求項２に記載の画像表示装置。
【請求項４】
前記シャッター制御部は、前記入力部に画像の色温度を低くする旨の情報が入力された場合は、前記面光源の発光タイミングに対して前記シャッターのオープン期間のタイミングを相対的に早める、請求項２に記載の画像表示装置。
【請求項５】
前記シャッターはＳＴＮタイプ、ＴＮタイプ、ＶＡタイプ、またはＯＣＢタイプの液晶からなる、請求項１に記載の画像表示装置。
【請求項６】
前記信号制御部は、前記右目用映像信号及び前記左目用映像信号のそれぞれを、少なくとも２回連続して表示するための信号に変換する、請求項１に記載の画像表示装置。
【請求項７】
前記面光源制御部は、前記右目用画像及び前記左目用画像の２回目の表示期間の少なくとも一部において前記面光源を発光させる、請求項６に記載の画像表示装置。
【請求項８】
前記面光源制御部は、前記右目用画像及び前記左目用画像の１回目の表示期間の少なくとも一部において前記面光源を発光させない、請求項６に記載の画像表示装置。
【請求項９】
画像信号の入力を受け、右目用画像及び左目用画像を交互に表示するための信号へ変換する信号制御部と、前記信号制御部において変換された信号が入力され、右目用画像と左目用画像を交互に表示する表示パネルと、前記表示パネルを背面から照射する面光源と、右目用と左目用のシャッターを備える鑑賞用眼鏡に対して、前記右目用及び左目用のシャッターのオープン期間を示すタイミング信号を発生させ、前記面光源の発光タイミングに対して前記シャッターのオープン期間を相対的に変化させるシャッター制御部と、前記右目用画像と左目用画像の切り換えに応じて、前記シャッターのオープン期間よりも短い期間で前記面光源を発光させる面光源制御部と、を有する画像表示装置と、
前記右目用と左目用のシャッターを有し、前記タイミング信号に基づいて、前記右目用と左目用の前記シャッターを交互に開く前記鑑賞用眼鏡と、
を備える、画像表示観察システム。
【請求項１０】
画像信号の入力を受け、右目用画像及び左目用画像を交互に表示するための信号へ変換するステップと、
前記変換された信号に基づいて右目用画像と左目用画像を交互に表示するステップと、
右目用と左目用のシャッターを備える鑑賞用眼鏡に対して、前記右目用及び左目用のシャッターのオープン期間を示すタイミング信号を発生させ、前記右目用画像と前記左目用画像を表示する表示パネルの面光源の発光タイミングに対して前記シャッターのオープン期間を相対的に変化させるステップと、
前記右目用画像と左目用画像の切り換えに応じて、前記シャッターのオープン期間よりも短い期間で前記面光源を発光させるステップと、
を備える、画像表示方法。
【請求項１１】
画像信号の入力を受け、異なる複数の画像を周期的に表示するための信号へ変換する信号制御部と、
前記信号制御部において変換された信号が入力され、前記異なる複数の画像を周期的に表示する表示パネルと、
前記表示パネルを背面から照射する面光源と、
右目用と左目用のシャッターを備える鑑賞用眼鏡に対して、前記異なる複数の画像の表示タイミングに応じて前記右目用及び左目用のシャッターが同時に開くためのオープン期間を示すタイミング信号を発生させ、前記面光源の発光タイミングに対して前記シャッターのオープン期間を相対的に変化させるシャッター制御部と、
前記右目用画像と左目用画像の切り換えに応じて、前記シャッターのオープン期間よりも短い期間で前記面光源を発光させる面光源制御部と、
を備える、画像表示装置。
【請求項１２】
画像信号の入力を受け、異なる複数の画像を周期的に表示するための信号へ変換する信号制御部と、前記信号制御部において変換された信号が入力され、前記異なる複数の画像を周期的に表示する表示パネルと、前記表示パネルを背面から照射する面光源と、右目用と左目用のシャッターを備える鑑賞用眼鏡に対して、前記異なる複数の画像の表示タイミングに応じて前記右目用及び左目用のシャッターが同時に開くためのオープン期間を示すタイミング信号を発生させ、前記面光源の発光タイミングに対して前記シャッターのオープン期間を相対的に変化させるシャッター制御部と、前記右目用画像と左目用画像の切り換えに応じて、前記シャッターのオープン期間よりも短い期間で前記面光源を発光させる面光源制御部と、を有する、画像表示装置と、
前記右目用と左目用のシャッターを有し、前記タイミング信号に基づいて、前記右目用と左目用の前記シャッターを交互に開く前記鑑賞用眼鏡と、
を備える、画像表示観察システム。
【請求項１３】
異なる複数の画像を周期的に表示するための信号を出力するステップと、
前記信号に基づいて前記異なる複数の画像を周期的に表示するステップと、
右目用と左目用のシャッターを備える鑑賞用眼鏡に対して、前記異なる複数の画像の表示タイミングに応じて前記右目用及び左目用のシャッターが同時に開くためのオープン期間を示すタイミング信号を発生させ、前記表示パネルの面光源の発光タイミングに対して前記シャッターのオープン期間を相対的に変化させるステップと、
前記右目用画像と左目用画像の切り換えに応じて、前記シャッターのオープン期間よりも短い期間で前記面光源を発光させるステップと、
を備える、画像表示方法。
【発明の詳細な説明】
【技術分野】
【０００１】
本発明は、画像表示装置、画像表示観察システム及び画像表示方法に関する。
【背景技術】
【０００２】
従来、例えば下記の特許文献に記載されているように、視差を有する左目用画像及び右目用画像を所定周期で交互にディスプレイに供給し、この画像を所定周期に同期して駆動される液晶シャッターを備える眼鏡で観察する方法が知られている。
【先行技術文献】
【特許文献】
【０００３】
【特許文献１】特開平９−１３８３８４号公報
【特許文献２】特開２０００−３６９６９号公報
【特許文献３】特開２００３−４５３４３号公報
【発明の概要】
【発明が解決しようとする課題】
【０００４】
一般的な２Ｄのテレビ受像機は、表示モードやユーザ設定によって画像の色合い（色温度）を変更できる機能を備えており、３Ｄの画像表示装置においても当然に同様の機能が必要である。しかしながら、表示ディスプレイ側で色温度を補正する場合、該当する所望の色温度以外の色については、輝度を抑えることで色温度を調整する必要がある。この場合、色温度の調整に応じて画像の輝度が低下してしまい、高輝度の鮮明な映像をユーザが視認できなくなる問題が発生する。
【０００５】
そこで、本発明は、上記問題に鑑みてなされたものであり、本発明の目的とするところは、輝度の低下を抑えるとともに、画像の色合いを最適に調整することが可能な、新規かつ改良された画像表示装置、画像表示観察システム及び画像表示方法を提供することにある。
【課題を解決するための手段】
【０００６】
上記課題を解決するために、本発明のある観点によれば、画像信号の入力を受け、右目用画像及び左目用画像を交互に表示するための信号へ変換する信号制御部と、前記信号制御部において変換された信号が入力され、右目用画像と左目用画像を交互に表示する表示パネルと、前記表示パネルを背面から照射する面光源と、右目用と左目用のシャッターを備える鑑賞用眼鏡に対して、前記右目用及び左目用のシャッターのオープン期間を示すタイミング信号を発生させ、前記面光源の発光タイミングに対して前記シャッターのオープン期間を相対的に変化させるシャッター制御部と、前記右目用画像と左目用画像の切り換えに応じて、前記シャッターのオープン期間よりも短い期間で前記面光源を発光させる面光源制御部と、を備える、画像表示装置が提供される。
【０００７】
また、画像の色合いを調整するための情報が入力される入力部を備え、前記シャッター制御部は、前記入力部に入力された情報に基づいて、前記シャッターのオープン期間を変化させるものであってもよい。
【０００８】
また、前記タイミング制御部は、前記入力部に画像の色温度を高くする旨の情報が入力された場合は、前記面光源の発光タイミングに対して前記シャッターのオープン期間のタイミングを相対的に遅くするものであってもよいので。
【０００９】
また、前記シャッター制御部は、前記入力部に画像の色温度を低くする旨の情報が入力された場合は、前記面光源の発光タイミングに対して前記シャッターのオープン期間のタイミングを相対的に早めるものであってもよい。
【００１０】
また、前記シャッターはＳＴＮタイプ、ＴＮタイプ、ＶＡタイプ、またはＯＣＢタイプの液晶からなるものであってもよい。
【００１１】
また、前記信号制御部は、前記右目用映像信号及び前記左目用映像信号のそれぞれを、少なくとも２回連続して表示するための信号に変換するものであってもよい。
【００１２】
また、前記面光源制御部は、前記右目用画像及び前記左目用画像の２回目の表示期間の少なくとも一部において前記面光源を発光させるものであってもよい。
【００１３】
また、前記面光源制御部は、前記右目用画像及び前記左目用画像の１回目の表示期間の少なくとも一部において前記面光源を発光させないものであってもよい。
【００１４】
また、上記課題を解決するために、本発明の別の観点によれば、画像信号の入力を受け、右目用画像及び左目用画像を交互に表示するための信号へ変換する信号制御部と、前記信号制御部において変換された信号が入力され、右目用画像と左目用画像を交互に表示する表示パネルと、前記表示パネルを背面から照射する面光源と、右目用と左目用のシャッターを備える鑑賞用眼鏡に対して、前記右目用及び左目用のシャッターのオープン期間を示すタイミング信号を発生させ、前記面光源の発光タイミングに対して前記シャッターのオープン期間を相対的に変化させるシャッター制御部と、前記右目用画像と左目用画像の切り換えに応じて、前記シャッターのオープン期間よりも短い期間で前記面光源を発光させる面光源制御部と、を有する画像表示装置と、前記右目用と左目用のシャッターを有し、前記タイミング信号に基づいて、前記右目用と左目用の前記シャッターを交互に開く前記鑑賞用眼鏡と、を備える、画像表示観察システムが提供される。
【００１５】
また、上記課題を解決するために、本発明の別の観点によれば、画像信号の入力を受け、右目用画像及び左目用画像を交互に表示するための信号へ変換するステップと、前記変換された信号に基づいて右目用画像と左目用画像を交互に表示するステップと、右目用と左目用のシャッターを備える鑑賞用眼鏡に対して、前記右目用及び左目用のシャッターのオープン期間を示すタイミング信号を発生させ、前記右目用画像と前記左目用画像を表示する表示パネルの面光源の発光タイミングに対して前記シャッターのオープン期間を相対的に変化させるステップと、前記右目用画像と左目用画像の切り換えに応じて、前記シャッターのオープン期間よりも短い期間で前記面光源を発光させるステップと、を備える、画像表示方法が提供される。
【００１６】
また、上記課題を解決するために、本発明の別の観点によれば、画像信号の入力を受け、異なる複数の画像を周期的に表示するための信号へ変換する信号制御部と、前記信号制御部において変換された信号が入力され、前記異なる複数の画像を周期的に表示する表示パネルと、前記表示パネルを背面から照射する面光源と、右目用と左目用のシャッターを備える鑑賞用眼鏡に対して、前記異なる複数の画像の表示タイミングに応じて前記右目用及び左目用のシャッターが同時に開くためのオープン期間を示すタイミング信号を発生させ、前記面光源の発光タイミングに対して前記シャッターのオープン期間を相対的に変化させるシャッター制御部と、前記右目用画像と左目用画像の切り換えに応じて、前記シャッターのオープン期間よりも短い期間で前記面光源を発光させる面光源制御部と、を備える、画像表示装置が提供される。
【００１７】
また、上記課題を解決するために、本発明の別の観点によれば、画像信号の入力を受け、異なる複数の画像を周期的に表示するための信号へ変換する信号制御部と、前記信号制御部において変換された信号が入力され、前記異なる複数の画像を周期的に表示する表示パネルと、前記表示パネルを背面から照射する面光源と、右目用と左目用のシャッターを備える鑑賞用眼鏡に対して、前記異なる複数の画像の表示タイミングに応じて前記右目用及び左目用のシャッターが同時に開くためのオープン期間を示すタイミング信号を発生させ、前記面光源の発光タイミングに対して前記シャッターのオープン期間を相対的に変化させるシャッター制御部と、前記右目用画像と左目用画像の切り換えに応じて、前記シャッターのオープン期間よりも短い期間で前記面光源を発光させる面光源制御部と、を有する、画像表示装置と、前記右目用と左目用のシャッターを有し、前記タイミング信号に基づいて、前記右目用と左目用の前記シャッターを交互に開く前記鑑賞用眼鏡と、を備える、画像表示観察システムが提供される。
【００１８】
また、上記課題を解決するために、本発明の別の観点によれば、異なる複数の画像を周期的に表示するための信号を出力するステップと、前記信号に基づいて前記異なる複数の画像を周期的に表示するステップと、右目用と左目用のシャッターを備える鑑賞用眼鏡に対して、前記異なる複数の画像の表示タイミングに応じて前記右目用及び左目用のシャッターが同時に開くためのオープン期間を示すタイミング信号を発生させ、前記表示パネルの面光源の発光タイミングに対して前記シャッターのオープン期間を相対的に変化させるステップと、前記右目用画像と左目用画像の切り換えに応じて、前記シャッターのオープン期間よりも短い期間で前記面光源を発光させるステップと、を備える、画像表示方法が提供される。
【発明の効果】
【００１９】
本発明によれば、輝度の低下を抑えるとともに、画像の色合いを最適に調整することが可能となる。
【図面の簡単な説明】
【００２０】
【図１】本発明の一実施形態に係る立体画像表示観察システムの構成を示す模式図である。
【図２】画像表示装置の構成を示すブロック図である。
【図３】本実施形態による２度書き込みの原理と、液晶シャッターの開閉を示すタイミングチャートである。
【図４】液晶の応答特性がＲ（赤色）、Ｇ（緑色）、Ｂ（青色）の各色で異なる様子を示す特性図である。
【図５】図３に対して、液晶シャッターの開口期間を可変した例を示す模式図である。
【図６】図４と同じ特性を示しており、バックライトの照射タイミングに応じて色温度が変わる様子を示す特性図である。
【図７】複数ユーザに対して異なる映像を提供するシステム（Ｄｕａｌ  Ｖｉｅｗ）を示す模式図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
なお、説明は以下の順序で行うものとする。
（１）システム構成例
（２）画像表示装置の構成例
（３）本実施形態による２度書き込みの例
（４）バックライトとシャッター開閉の同期について
（５）液晶における色毎の応答特性の相違を利用した色温度調整について
（６）バックライト消灯期間の制御等について
（７）異なる複数の画像を周期的に表示するシステムへの適用
【００２３】
［（１）システム構成例］
図１は、本発明の一実施形態に係る立体画像表示観察システムの構成を示す模式図である。図１に示すように、本実施形態に係るシステムはＬＣＤから構成される画像表示装置１００と、表示画像鑑賞用メガネ２００とを備える。
【００２４】
画像表示装置１００は、例えば時分割式の立体映像ディスプレイ装置であり、左眼用映像及び右眼用映像を非常に短い周期で画面全体に交互にディスプレイする。また、画像表示装置１００は、左眼用映像及び右眼用映像のディスプレイ周期に同期して左眼及び右眼に映像を分離して提供する。画像表示装置１００は、例えば、フィールド毎に右目用画像Ｒと左目用画像Ｌを交互に表示する。表示画像鑑賞用メガネ２００には、レンズに相当する部分に一対の液晶シャッター２００ａ，２００ｂが設けられている。液晶シャッター２００ａ，２００ｂは、画像表示装置１００のフィールド毎の画像切り換えに同期して交互に開閉動作を行う。すなわち、画像表示装置１００に右目用画像Ｒが表示されるフィールドでは、左目用の液晶シャッター２００ｂが閉鎖状態となり、右目用の液晶シャッターが開放状態２００ａとなる。また、左目用画像Ｌが表示されるフィールドでは、これと逆の動作を行う。このように、画像表示装置１００は、左眼用映像Ｌ及び右眼用映像Ｒを非常に短い周期で画面全体に交互にディスプレイすると同時に、左眼用映像Ｌ及び右眼用映像Ｒのディスプレイ周期に同期して左眼及び右眼に映像を分離して提供する。
【００２５】
このような動作により、鑑賞用メガネ２００を掛けて画像表示装置１００を見るユーザの右目には右目用画像Ｒのみが、また、左目には左目用画像Ｌのみが入射される。このため、鑑賞者の目の内部で右目用と左目用の画像が合成され、画像表示装置１００に表示される画像が立体的に認識される。また、画像表示装置１００は通常の２次元画像を表示することもでき、この場合、右目用画像Ｒと左目用画像Ｌの切り換えは行われない。
【００２６】
［（２）画像表示装置の構成例］
次に、画像表示装置１００の構成について説明する。図２は、画像表示装置１００の構成を示すブロック図である。図２に示すように、画像表示装置１００は、映像信号制御部１２０、シャッター制御部１２２、エミッタ１２４、タイミング制御部１２６、バックライト制御部１２８、ゲートドライバ１３０、データドライバ１３２、液晶表示パネル１３４、入力部１３８を備える。液晶表示パネル１３４の背後には、バックライト（面光源）１３６が配置されている。
【００２７】
液晶表示パネル１３４は、液晶層、液晶層を挟んで対向する透明電極、カラーフィルタ等から構成されている。バックライトを構成する蛍光体の残光特性は、４ｍｓ以下に設定されている。また、バックライト１３６は、残光特性の良好なＬＥＤ等から構成されている。
【００２８】
映像信号制御部１２０には、右目用画像Ｒ及び左目用画像Ｌを表示するための左右映像信号が入力される。映像信号制御部１２０は、液晶表示パネル１３４に右目用画像Ｒと左目用画像Ｌを交互に表示させるため、左右映像信号を交互に出力する。また、映像信号制御部１２０は、入力された左右映像信号に基づいて、後述する２度書き込みを行うため、右目用映像信号と左目用映像信号のそれぞれについて、同じ信号が２つ連続するように変換を行う。
【００２９】
タイミング制御部１２６には、映像信号制御部１２０で変換された右目用映像信号及び左目用映像信号が入力される。タイミング制御部１２６は、入力された右目用映像信号及び左目用映像信号を液晶表示パネル１３４へ入力するための信号に変換し、ゲートドライバ１３０およびデータドライバ１３２の動作に用いられるパルス信号を生成する。
【００３０】
タイミング制御部１２６で変換された信号は、ゲートドライバ１３０とデータドライバ１３２のそれぞれに入力される。ゲートドライバ１３０およびデータドライバ１３２は、タイミング制御部１２６で生成されたパルス信号を受け、入力された信号に基づいて液晶表示パネル１３４の各画素を発光させる。これにより、液晶表示パネル１３４に映像が表示される。
【００３１】
また、映像信号制御部１２０は、２つ連続するように変換された右目用映像信号及び左目用映像信号の切り換わりのタイミングを示すタイミング信号をシャッター制御部１２２へ送る。シャッター制御部１２２は、映像信号制御部１２０から送られたタイミング信号に基づいて、エミッタ１２４を発光させる駆動信号をエミッタ１２４へ送る。ここで、エミッタ１２４を発光させる駆動信号は、液晶シャッター２００ａ，２００ｂの開閉タイミングを含む信号であり、シャッター制御部１２２は、映像信号制御部１２０から送られたタイミング信号と、後述する入力部１３８から入力された情報に基づいて、液晶シャッター２００ａ，２００ｂの開閉タイミングを制御する。エミッタ１２４は、シャッター制御部１２２から送られた駆動信号に基づいて、左右の液晶シャッター２００ａ，２００ｂの開閉タイミングを示す光信号を鑑賞用メガネ２００に対して送信する。
【００３２】
表示画像鑑賞用メガネ２００は、詳細は省略するが、光信号を受信するセンサを備えている。光信号を受信した鑑賞用メガネ２００は、光信号によって指示された液晶シャッター２００ａ，２００ｂの開閉タイミングに同期して、液晶シャッター２００ａ，２００ｂの開閉動作を交互に行う。
【００３３】
また、シャッター制御部１２２は、左右の映像の切り換わりのタイミングを示すタイミング信号をバックライト制御部１２８へ送る。バックライト制御部１２８は、入力されたタイミング信号に基づいて、バックライト１３６を点灯させるための制御信号を出力する。バックライト１３６は、バックライト制御部１２８から入力された制御信号に基づいて点灯を行う。
【００３４】
入力部１３８には、画像表示装置１００が備える操作ボタン、マウス、キーボード等から、ユーザにより指定された画像の色合い（色温度）に関する情報が入力される。入力部１３８へ入力された情報は、シャッター制御部１２２へ送られる。シャッター制御部１２２は、画像の色合いに関する情報に基づいて、左右の液晶シャッター２００ａ，２００ｂの開閉タイミングを制御する。そして、上述のように、シャッター制御部１２２は、色温度情報に基づいて決定した開閉タイミングに基づいて、エミッタ１２４を発光させる駆動信号をエミッタ１２４へ送る。なお、入力部１３８に入力される色温度情報は、ユーザから入力されるものの他、画像を分析して入力されるものであっても良い。
【００３５】
なお、本実施形態では、画像表示装置１００のシャッター制御部１２２において、色温度情報に基づいて液晶シャッター２００ａ，２００ｂの開閉タイミングを決定することとしているが、表示画像鑑賞用メガネ２００側で開閉タイミングを制御しても良い。この場合は、シャッター制御部１２２は、映像信号制御部１２０から送られたタイミング信号に基づいて、エミッタ１２４を発光させる駆動信号をエミッタ１２４へ送るとともに、入力部１３８に入力された情報をエミッタ１２４に送る。エミッタ１２４は、左右の映像信号の切り換わりのタイミングを示す光信号とともに、入力部１３８に入力された情報を鑑賞用メガネ２００に対して送信する。そして、光信号を受信した鑑賞用メガネ２００は、画像表示装置１００の右目用映像信号と左目用映像信号の切り換わりのタイミングに同期して、液晶シャッター２００ａ，２００ｂの開閉動作を交互に行い、入力部１３８に入力された情報に基づいて、バックライト１３６の発光タイミングに対して液晶シャッター２００ａ，２００ｂの開閉タイミングを変更する。
【００３６】
［（３）本実施形態による２度書き込みの例］
液晶の応答速度の不足に起因するクロストークの発生、及び輝度不足等を解消するため、本実施形態では、液晶パネルの駆動周波数を高め、左右の画像の１フレームを液晶表示パネル１３２に２度表示させる（書き込む）という手法を採用している。
【００３７】
図３は、本実施形態による２度書き込みの原理と、液晶シャッター２００ａ，２００ｂの開閉を示すタイミングチャートであって、右目用画像Ｒと左目用画像Ｌのそれぞれを２４０［Ｈｚ］の駆動周波数で表示した場合を示している。図３において、１回の書き込みにより右目用画像Ｒ又は左目用画像Ｌが表示される時間は、１／２４０［Ｈｚ］＝４．２［ｍｓ］である。
【００３８】
図３（Ａ）は、液晶表示パネル１３２の画面下端（Ｈ＝０）から上端（Ｈ＝１）に至る縦方向の各位置において、時間とともに輝度が変化している様子を示している。また、図３（Ｂ）は、液晶表示パネル１３２のバックライト１３６が発光している様子を示している。また、図３（Ｃ）は、液晶シャッター２００ａ，２００ｂの開閉タイミングを示している。図３（Ｂ）及び図３（Ｃ）に示すように、本実施形態では、液晶シャッター２００ａ，２００ｂの開閉と同期してバックライト１３６を点灯する。
【００３９】
図３に示すように、画面上端（Ｈ＝１）では、時刻ｔ２０からｔ２１までの４．２［ｍｓ］間に左目用画像Ｌが書き込まれ、続けて時刻ｔ２１からのｔ２２までの４．２［ｍｓ］間に再び左目用画像Ｌが書き込まれる。ここで、時刻ｔ２０からｔ２１の間に書き込まれる左目用画像Ｌと時刻ｔ２１からのｔ２２の間に書き込まれる左目用画像Ｌは、基本的には同一の画像であるが、オーバードライブ処理などの調整に起因して相違するものであってもよい。また、１回目に書き込まれる左目用画像Ｌと２回目に書き込まれる左目用画像Ｌとの間に所定のブランク期間を設けても良い。
【００４０】
そして、左目用画像Ｌを２回書き込んだ後に右目用画像Ｒが書き込まれる。右目用画像Ｒについても、画面上端（Ｈ＝１）では、時刻ｔ２２からｔ２３までの４．２［ｍｓ］間に右目用画像Ｒが書き込まれ、続けて時刻ｔ２３からのｔ２４までの４．２［ｍｓ］間に再び右目用画像Ｒが書き込まれる。時刻ｔ２２からｔ２３の間に書き込まれる右目用画像Ｒと時刻ｔ２３からのｔ２４の間に書き込まれる右目用画像Ｒは、基本的には同一の画像であるが、オーバードライブ処理などの調整に起因して相違するものであってもよい。また、１回目に書き込まれる右目用画像Ｒと２回目に書き込まれる右目用画像Ｒとの間、または左目用画像Ｌと右目用画像Ｒの間に所定のブランク期間を設けても良い。
【００４１】
一般に液晶表示装置は、その応答時間が比較的遅いため、書き込み時間が短時間であると、各画素が所望の輝度に達しない。このため、駆動周波数を高くして右目用画像Ｒと左目用画像Ｌを交互に書き込むと、１回の書き込み時間（＝４．２ｍｓ）が短くなり、１回目の書き込み後にしか所望の輝度に到達しないため、画面上端と下端の両方が所望の輝度に達しているタイミングが存在しない。
【００４２】
本実施形態では、右目用画像Ｒと左目用画像Ｌをそれぞれ２度に渡って書き込みしているため、２回目の書き込み時には、所望の輝度を保持することができ、従って、画面の上端と下端の両方で所望の輝度に達した状態を実現できる。
【００４３】
そして、図３（Ａ）において、時刻ｔ２２の時点では、画面上辺から画面下辺に至る全域において、左目用画像Ｌの輝度は所望のレベルに到達している。このため、時刻ｔ２２を中心とする所定の期間（例えば２．１ｍｓ）に左目用画像Ｌを視認することで、画面上辺から画面下辺に至る全域において、左目用画像Ｌに右目用画像Ｒが混ざることがなく、クロストークの発生を確実に抑えることができる。
【００４４】
同様に、右目用画像Ｒにおいても、図３（Ａ）に示す時刻ｔ２４の時点では、画面上辺から画面下辺に至る全域において、右目用画像Ｒの輝度は所望のレベルに到達している。このため時刻ｔ２４を中心とする所定の期間（例えば２．１ｍｓ）に右目用画像Ｒを視認することで、右目用画像Ｒに左目用画像Ｌが混ざることがなく、クロストークの発生を確実に抑えることができる。なお、クロストークと輝度はトレードオフの関係にあるので、どちらを優先するかによってバックライト１３６の照射期間は適宜設定できる。
【００４５】
なお、本実施形態のような２度書きを行わない場合に、液晶が応答する程度の低い周波数で右目用画像Ｒと左目用画像Ｌとを交互に表示させた場合は、フリッカ（画面のちらつき）が発生してしまう。フリッカの発生は、例えば右目用画像Ｒ又は左目用画像Ｌの１フレームが表示される駆動周波数を６０［Ｈｚ］以下とすると発生する。本実施形態では、液晶の駆動周波数を例えば２４０［Ｈｚ］とするため、フリッカの発生を確実に抑えることができる。
【００４６】
［（４）バックライトとシャッター開閉の同期について］
図３（Ｂ）及び図３（Ｃ）に示すように、本実施形態では、液晶シャッター２００ａ，２００ｂの開閉と同期してバックライト１３６を点灯する。液晶シャッター２００ｂは時刻ｔ４０〜ｔ４１間で開かれるが、液晶シャッター２００ｂの開閉と同期して、時刻ｔ３０〜ｔ３１間でバックライト１３６を点灯させる。図３（Ｂ）及び図３（Ｃ）に示すように、液晶シャッター２００ｂが開状態となる時刻ｔ４０〜ｔ４１の区間は、バックライト１３６が点灯する時刻ｔ３０〜ｔ３１の区間よりも十分に長く設定される。
【００４７】
同様に、液晶シャッター２００ａは時刻ｔ４２〜ｔ４３間で開かれるが、液晶シャッター２００ａの開閉と同期して、時刻ｔ３２〜ｔ３３間でバックライト１３６を点灯させる。また、液晶シャッター２００ｂは時刻ｔ４４〜ｔ４５間で開かれるが、液晶シャッター２００ｂの開閉と同期して、時刻ｔ３４〜ｔ３５間でバックライト１３６を点灯させる。図３（Ｂ）に示すように、液晶シャッター２００ａが開状態となる時刻ｔ４２〜ｔ４３の区間は、バックライト１３６が点灯する時刻ｔ３２〜ｔ３３の区間よりも十分に長く設定される。同様に、液晶シャッター２００ｂが開状態となる時刻ｔ４４〜ｔ４５の区間は、バックライト１３６が点灯する時刻ｔ３４〜ｔ３５の区間よりも十分に長く設定される。
【００４８】
ここで、液晶シャッター２００ａ，２００ｂのオープン期間が短いと、オープン期間に対して液晶シャッター２００ａ，２００ｂが応答する過渡期間の比率が高くなる。このため、オープン期間で十分な光の透過率を確保できないことが想定される。
【００４９】
本実施形態では、液晶シャッター２００ａ，２００ｂのオープン期間を十分に長くしており、液晶シャッター２００ａ，２００ｂのオープン期間の中でバックライト１３６を点灯させている。従って、ユーザは、時刻ｔ３０〜ｔ３１間、時刻ｔ３４〜ｔ３５間でバックライト１３６が点灯することにより、左目用画像Ｌを視認することができ、また、時刻ｔ３２〜ｔ３３間でバックライト１３６が点灯することにより、右目用画像Ｒを視認することができる。
【００５０】
上述のように、液晶の駆動周波数を高めると、１回目の書き込み時には、書き込み終了時に画面下部では所望の輝度に到達しないため、液晶表示パネル１３２の過渡応答中である１回目の書き込み時の少なくとも一部区間では、バックライト１３６を消灯することができる。より詳細には、右目用画像Ｒ又は左目用画像Ｌが表示されている約８．４ｍｓのうち、少なくとも５０％に相当する４．２ｍｓの区間では、バックライト１３６を消灯するものとすることができる。これにより、１回目の書き込みによる過渡応答中の映像がユーザに視認されることを回避できる。
【００５１】
そして、本実施形態では、バックライト１３６は、時刻ｔ２２，ｔ２４，ｔ２６を中心とする所定時間（例えば２．１ｍｓ）の間だけ点灯される。
【００５２】
時刻ｔ２４の時点では、画面下辺においては、右目用画像Ｒの２回目の書き込みが開始されており、画面上辺においては、右目用画像Ｒの２回目の書き込みが終了する。従って、時刻ｔ２４の時点でバックライト１３６を点灯することによって、１回目の書き込みによる右目用画像Ｒがユーザの右目に視認されることがなく、画面下辺から上辺に至る全域において、２回目の書き込みによる右目用画像Ｒがユーザの右目に視認される。
【００５３】
同様に、時刻ｔ２２，ｔ２６の時点では、画面下辺においては、左目用画像Ｌの２回目の書き込みが開始されており、画面上辺においては、左目用画像Ｌの２回目の書き込みが終了する。従って、時刻ｔ２２または時刻ｔ２６の時点でバックライト１３６を点灯することによって、１回目の書き込みによる左目用画像Ｌがユーザの左目に視認されることがない。これにより、画面下辺から上辺に至る全域において、２回目の書き込みによる左目用画像Ｌがユーザの左目に視認される。
【００５４】
このように、１度目の書き込みで所望の輝度に到達し、２度目の書き込みでその輝度を保持することで、画面全体においてバックライト１３６は、２度目に書き込まれた右目用画像Ｒまたは左目用画像Ｌが表示されている一部の区間のみで点灯される。これにより、２度目の書き込みにより所望の輝度に到達した映像をユーザに視認させることが可能となる。従って、図３（Ｃ）に示す時刻ｔ２２，ｔ２４，ｔ２６の時点において、必要最小限の所定時間（例えば２．１ｍｓ）のみバックライト１３６を点灯させることで、クロストークの発生を確実に抑えることが可能となる。
【００５５】
一般に、右目用画像Ｒと左目用画像Ｌを交互に表示する画像表示装置と、交互に左右の液晶シャッターの開閉動作を行う表示画像鑑賞用メガネからなるシステムでは、画像表示装置の液晶応答速度不足や液晶シャッターのコントラスト不足などの特性上の要因が発生する。そして、これらの画像表示装置や液晶シャッターの特性上の要因から、右目用画像Ｒの一部が左目用画像Ｌに混ざり、左目用画像Ｌの一部が右目用画像Ｒに漏れ込むクロストークの問題が発生する。
【００５６】
本実施形態では、上述のように、応答速度が比較的遅い液晶表示パネル１３４を用いた３Ｄ−ＴＶにおいて、左右の画像を続けて複数回表示し、液晶が応答した時点でバックライト１３６を点灯させるため、クロストークの発生を大幅に低減することができる。また、画像の表示とバックライト１３６のタイミングを適宜に設定することで、更なるクロストークの低減を達成することも可能である。
【００５７】
［（５）液晶における周波数毎の応答特性の相違を利用した画像表示について］
以上のように、表示画像鑑賞用メガネ２００の液晶シャッター２００ａ，２００ｂとして、応答特性の高いものが望ましく、ＳＴＮやＴＮタイプの液晶を用いることができる。これらの液晶は波長分散をもつため、周波数（各色）毎の応答特性は、波長に応じて異なる挙動を示す。
【００５８】
図４は、液晶の応答特性がＲ（赤色）、Ｇ（緑色）、Ｂ（青色）の各色で異なる様子を示す特性図であって、横軸は時間を、縦軸は液晶の輝度比（液晶の透過率）を示している。図４の例では、時刻０で液晶シャッター２００ａまたは２００ｂを開き、シャッターを開いた後、８ｍｓを経過した後にシャッターを閉じた場合を示している。
【００５９】
図４に示すように、青色（Ｂ）の応答特性は、シャッターを開いた直後の応答の立ち上がりが比較的早く、シャッターを開いてから２［ｍｓ］〜４［ｍｓ］の範囲で最も輝度比（透過率）が高くなり（１００％近傍）、その後、輝度比は低下する。また、緑色（Ｇ）の立ち上がりの応答特性は青色と比較すると若干遅く、シャッターを開いてから４［ｍｓ］〜６［ｍｓ］の範囲で最も輝度比（透過率）が高くなり、その後、輝度比は低下する。一方、赤色（Ｒ）の立ち上がりの応答特性は、青色、緑色に対して遅く、シャッターを開いてから６［ｍｓ］を経過してから輝度比が最も高くなる。
【００６０】
このように、シャッター開口後の液晶透過率の応答特性はＲＧＢの各色で異なる。このため、本実施形態では、各色について最も輝度比の高い状態で画像を視認できるように、バックライト１３６の点灯期間に対してシャッターの開口期間を可変するようにしている。
【００６１】
以下に具体的手法について説明する。図３で説明したような複数回の書き込みと、バックライト１３６による点灯を用いた場合に、例えば図４に示すような特性の波長分散を有する液晶シャッター２００ａ，２００ｂ（ＳＴＮタイプ等）を使用するものとする。この場合、液晶シャッター２００ａ，２００ｂを開いた後、液晶が十分に応答したタイミング（例えば図４中の４ｍｓ以降）でバックライト１３６を２ｍｓ程度点灯すると、青色の透過特性が低下したタイミングでバックライト１３６が点灯することになり、液晶シャッター２００ａ，２００ｂを透過した色は黄色になる。一方、液晶シャッター２００ａ，２００ｂを開いた直後（例えば図４中の２ｍｓ以降）にバックライト１３６を２ｍｓ程度点灯すると、青色の透過特性が高いタイミングでバックライト１３６が点灯することになり、液晶シャッター２００ａ，２００ｂを透過した色は青色になる。従って、バックライト１３６の点灯タイミングに対して液晶シャッター２００ａ，２００ｂの開口タイミングを相対的に可変することで、画像の色合い（色温度）を変更することができる。
【００６２】
一般的な２Ｄのテレビ受像機は、表示モードやユーザ設定によって色温度を変更できる機能を備えており、３Ｄの画像表示装置においても当然に同様の機能が必要である。しかしながら、例えば上述した例において、液晶シャッター２００ａ，２００ｂを透過した画像の色合いが黄色の状態（色温度が中温の状態）の場合に、仮に画像表示装置１００側の信号処理により青色の方向（色温度が高温となる方向）へ色温度を調整しようとすると、緑色と赤色の信号を弱くする必要がある。この場合、信号を弱めることで輝度の低下が非常に大きなものとなり、液晶表示パネル１３４にて表示される画像の光量自体が不足してしまう問題がある。特に、緑色は輝度に与える影響が大きいため、緑色の信号を弱めると輝度の低下が顕著なものとなる。一例として、色温度を低温から高温へ調整した場合は３０％程度の輝度の低下が生じ、低温から中温に調整た場合は約２０％程度の輝度の低下が生じる。本実施形態では、バックライト１３６の点灯タイミングに対して液晶シャッター２００ａ，２００ｂの開口タイミングを相対的に可変することで色温度調整を行うため、低温から中温への調整、及び低温から高温への調整の双方において、輝度の低下を１０％以下の抑えることが可能である。
【００６３】
このため、本実施形態では、図４のような応答特性を考慮して、バックライト１３６の点灯タイミングに対する液晶シャッター２００ａ，２００ｂの開口タイミングを調整することで、液晶シャッター２００ａ，２００ｂを透過した画像の色合いを可変するようにしている。以下、図５及び図６に基づいて、液晶シャッター２００ａ，２００ｂの開口タイミングに対してバックライト１３６の発光タイミングを調整することで、液晶シャッター２００ａ，２００ｂを透過した光の色温度を低温、中温、高温のそれぞれに調整する手法を説明する。図５は、図３に対して、液晶シャッター２００ａ，２００ｂの開口期間を可変した例を示す模式図である。また、図６は、図４と同じ特性を示しており、バックライト１３６の照射タイミングに応じて色温度が変わる様子を示す特性図である。
【００６４】
ここで、図５（Ａ）、図５（Ｂ）は、図３（Ａ）、図３（Ｂ）と同じ特性を示している。また、図５（Ｃ）は色温度を低温に調整する場合を、図５（Ｄ）は色温度を中温に調整する場合を、図５（Ｅ）は色温度を高温に調整する場合を、それぞれ示している。
【００６５】
図５（Ａ）に示すように、色温度を低温に調整する場合には、バックライト１３６の照射期間が液晶シャッター２００ａ，２００ｂの開口期間の後期となるように、液晶シャッター２００ａ，２００ｂの開口タイミングを調整する。図６に示すように、液晶シャッター２００ａ，２００ｂの開口期間の後期（シャッター開口後の６ｍｓ〜８ｍｓ程度の期間）では、液晶シャッター２００ａ，２００ｂの赤色の透過率が高く、青色、緑色の透過率が低下しているため、このタイミングでバックライト１３６を照射して画像を液晶シャッター２００ａ，２００ｂに透過させると、ユーザが視認する映像の色温度を低温にすることができる。更に、画像表示装置１００側で通常の映像信号による色温度の微調整を行うことで、より精度よく色温度を調整することが可能となる。この場合、色温度の調整を全て画像処理装置側で行う場合と比較すると、画像処理装置１００側での信号での調整量が格段に小さくなり、特に緑色の調整量を少なくすることができるため、輝度低下を殆ど生じさせずに調整が可能である。
【００６６】
また、図５（Ｅ）に示すように、色温度を高温に調整する場合には、バックライト１３６の照射期間が液晶シャッター２００ａ，２００ｂの開口期間の前期となるように、液晶シャッター２００ａ，２００ｂの開口タイミングを調整する。図６に示すように、液晶シャッター２００ａ，２００ｂの開口期間の前期（シャッター開口後の１ｍｓ〜４ｍｓ程度の期間）では、液晶シャッター２００ａ，２００ｂの青色の透過率が高く、赤色、緑色の透過率が低下しているため、このタイミングでバックライト１３６を照射して画像を液晶シャッター２００ａ，２００ｂに透過させると、ユーザが視認する映像の色温度を高温にすることができる。この場合においても、画像表示装置１００側で通常の映像信号による色温度の微調整を行うことで、より精度よく色温度を調整することが可能となる。色温度の調整を全て画像処理装置側で行う場合と比較すると、画像処理装置１００側での信号での調整量が格段に小さくなり、特に緑色の調整量を少なくすることができるため、輝度低下を殆ど生じさせずに調整が可能である。
【００６７】
また、図５（Ｄ）に示すように、色温度を中温に調整する場合には、バックライト１３６の照射期間が液晶シャッター２００ａ，２００ｂの開口期間の中期となるように、液晶シャッター２００ａ，２００ｂの開口タイミングを調整する。図６に示すように、液晶シャッター２００ａ，２００ｂの開口期間の中期（シャッター開口後の４ｍｓ〜６ｍｓ程度の期間）では、液晶シャッター２００ａ，２００ｂの緑色の透過率が高く、青色、赤色の透過率が低下しているため、このタイミングでバックライト１３６を照射して画像を液晶シャッター２００ａ，２００ｂに透過させると、ユーザが視認する映像の色温度を中温にすることができる。
【００６８】
液晶シャッター２００ａ，２００ｂの開口タイミングの調整は、図２に示すシャッター制御部１２２が行う。シャッター制御部１２２は、入力部１３８から入力された色温度制御信号に基づいて、液晶シャッター２００ａ，２００ｂの開口タイミングを制御し、決定した開口タイミングに基づいてエミッタ１２４を発光させる駆動信号をエミッタ１２４へ送る。これにより、鑑賞用メガネ２００は、光信号によって指示された液晶シャッター２００ａ，２００ｂの開閉タイミングに同期して、液晶シャッター２００ａ，２００ｂの開閉動作を交互に行う。
【００６９】
液晶シャッター２００ａ，２００ｂとしては、上述の観点から波長依存性の高いものが望ましい。波長依存性の高い液晶としては、例えば、ＳＴＮ（Ｓｕｐｅｒ  Ｔｗｉｓｔｅｄ  Ｎｅｍａｔｉｃ  ｌｉｑｕｉｄ  ｃｒｙｓｔａｌ）タイプ、ＴＮ（Ｔｗｉｓｔｅｄ  Ｎｅｍａｔｉｃ  ｌｉｑｕｉｄ  ｃｒｙｓｔａｌ）タイプ、ＶＡ（Ｖｅｒｔｉｃａｌ  Ａｌｉｇｎｍｅｎｔ）タイプ、ＯＣＢ（Ｏｐｔｉｃａｌｌｙ  Ｃｏｍｐｅｎｓａｔｅｄ  Ｂｅｎｄ；πセル）タイプの液晶が挙げられる。但し、液晶の種類はこれに限定されるものではない。
【００７０】
また、上述した例では、図５（Ａ）、図５（Ｂ）に示すように、左右映像の書き込みのタイミングに対するバックライト１３６の照射タイミングは、図３と同様に不変とし、また、液晶シャッター２００ａ，２００ｂの開口時間についても固定値としている。そして、バックライト１３６の照射タイミングに対して液晶シャッター２００ａ，２００ｂの開口期間のタイミングを変更することで、色温度の調整を実現する。これにより、図３で説明したように、左右映像の書き込みに対するバックライト１３６の照射期間が変化しないため、クロストークの発生を確実に抑えることができる。
【００７１】
更に、液晶シャッター２００ａ，２００ｂの開口タイミングの調整と同時に、画像表示装置１００側でパネル信号を調整して色温度を調整することで、より正確に目的の色温度を表現することが可能である。
【００７２】
［（６）バックライト消灯期間の制御等について］
図３において、時刻ｔ３０〜ｔ３１間、時刻ｔ３２〜ｔ３３間、及び時刻ｔ３４〜ｔ３５間以外の区間では、バックライト１３６は消灯されるか、又はグレー等の暗色で発光される。図５の場合についても同様である。液晶の応答性は温度に依存するため、例えば使用温度において十分な応答性を有さない液晶を用いる場合には、パックライト１３６の点灯期間以外においても、バックライト１３６を完全に消灯させることなく、グレー等の暗色で点灯させておくことが望ましい。これにより、点灯期間以外にバックライト１３６及び液晶表示パネル１３４の温度が低下してしまうことを抑止でき、液晶の応答性の低下を確実に抑えることができる。
【００７３】
このように、本実施形態では、液晶シャッター２００ａ，２００ｂが開くタイミングに合わせてバックライト１３６を点灯させ、それ以外の区間でバックライト１３６の輝度を低下させている。従って、液晶シャッター２００ａ，２００ｂの開状態と閉状態において、液晶表示パネル１３６のコントラストをより高めることが可能となり、ユーザはバックライト１３６が点灯している区間でのみ右目用画像Ｒ又は左目用画像Ｌを視認することができる。
【００７４】
特に、本実施形態に係る表示画像鑑賞用メガネ２００のように、液晶シャッター２００ａ，２００ｂを用いた構成の場合、シャッター開状態での光の透過率は、液晶の透過率によって若干低下してしまう。また、シャッター閉状態においても、漏れ光が液晶シャッターを透過する。このため、液晶シャッターの開状態と閉状態のコントラストを十分に高くすることができない場合がある。この場合、シャッター開状態において映像の輝度が低下するとともに、シャッターの閉状態での漏れ光によるクロストークの発生が懸念される。
【００７５】
図３に示す本実施形態の例では、時刻ｔ３０〜ｔ３１、時刻ｔ３２〜ｔ３３、時刻ｔ３４〜ｔ３５以外の区間では、バックライト１３６の輝度を低下させている。このため、液晶シャッター２００ａ又は液晶シャッター２００ｂのいずれかが閉じられた状態において、液晶シャッター２００ａ，２００ｂに光が透過してしまうことを確実に抑えることができる。従って、液晶シャッター２００ａ，２００ｂが閉じた状態で、漏れ光による映像をユーザが視認することを抑えることができ、クロストークの発生を確実に抑えることが可能となる。
【００７６】
また、図３及び図５の例では、液晶シャッター２００ａ，２００ｂの開閉と同期して、所定区間のみでバックライト１３６の輝度を高くしている。このため、２次元画像表示の際にバックライト１３６を常時点灯させる場合と比較すると、点灯時の輝度をより高くすることができる。換言すれば、所定区間のみでバックライト１３６の輝度を高くしているため、発光時の輝度をより高くしたとしても、常時点灯させる場合と同等の寿命（耐用年数）を確保することができる。従って、本実施形態の構成によれば、バックライト１３６を常時点灯させる場合よりも点灯時の輝度を高くすることができ、液晶シャッター２００ａ，２００ｂの開状態と閉状態における液晶表示パネル１３４のコントラストをより高めることが可能となる。
【００７７】
以上のように、本実施形態によれば、液晶シャッター２００ａ，２００ｂのコントラストの不足分を、バックライト１３６のコントラストで補償することができる。従って、ユーザは、シャッター開状態においては、バックライト１３６の発光による輝度の高い所望の映像を視認することができ、シャッター閉状態においては、バックライト１３６の輝度を低下させたことによるクロストークのない映像を視認することができる。なお、本実施形態では、２度書き込みと、バックライト１３６とシャッター開閉の同期を併用しているが、２度書き込みを行わずに、バックライト１３６とシャッター開閉の同期のみを行った場合も、クロストークの発生を抑えることができ、所望の輝度を達成できる。
【００７８】
［（７）異なる複数の画像を周期的に表示するシステムへの適用］
上述の例では、立体画像表示観察システムを例示したが、複数ユーザに対して異なる映像を提供するシステムへの適用も可能である。図７は、複数ユーザに対して異なる映像を提供するシステム（Ｄｕａｌ  Ｖｉｅｗ）を示す模式図である。このシステムでは、表示画像鑑賞用メガネ２００の液晶シャッター２００ａ，２００ｂは同じタイミングで開閉動作を行う。画像表示装置１００は、例えば時分割式のディスプレイ装置であり、ユーザＡに対する映像とユーザＢに対する映像を非常に短い周期で画面全体に交互にディスプレイする。
【００７９】
液晶シャッター２００ａ，２００ｂは、画像表示装置１００のフィールド毎の画像切り換えに同期して同時に開閉動作を行う。すなわち、画像表示装置１００にユーザＡに対する画像Ａが表示されるフィールドでは、ユーザＡが装着する表示画像鑑賞用メガネ２００の液晶シャッター２００ａ，２００ｂが開放状態となる。一方、ユーザＢが装着する表示画像鑑賞用メガネ２００の液晶シャッター２００ａ，２００ｂは閉鎖状態となる。
【００８０】
また、画像表示装置１００にユーザＢに対する画像Ｂが表示されるフィールドでは、ユーザＢが装着する表示画像鑑賞用メガネ２００の液晶シャッター２００ａ，２００ｂが開放状態となる。一方、ユーザＡが装着する表示画像鑑賞用メガネ２００の液晶シャッター２００ａ，２００ｂは閉鎖状態となる。
【００８１】
このように、画像表示装置１００は、ユーザＡに対する画像Ａ及びユーザＢに対する画像Ｂを非常に短い周期で画面全体に交互にディスプレイし、個々のユーザの液晶シャッター２００ａ，２００ｂを画像Ａ及び画像Ｂの表示タイミングに同期して開閉する。これにより、ユーザＡとユーザＢに対して異なる映像を提供することができる。なお、図７では、ユーザが２名の場合を例示しているが、ユーザがより多い場合であっても同様に構成することが可能である。
【００８２】
図７のシステムにおける画像表示装置１００の基本的な構成は図２と同様である。映像信号制御部１２０は、複数のユーザに対する映像信号を制御するように機能し、信号制御部１２０には画像Ａ及び画像Ｂを表示するための映像信号が入力される。映像信号制御部１２０は、液晶表示パネル１３４に画像Ａと画像Ｂを交互に表示させるため、画像Ａと画像Ｂについての映像信号を交互に出力する。また、映像信号制御部１２０は、入力された映像信号に基づいて、上記と同様の２度書き込みを行うため、画像Ａの映像信号と画像Ｂの映像信号のそれぞれについて、同じ信号が２つ連続するように変換を行う。
【００８３】
タイミング制御部１２６には、映像信号制御部１２０で変換された画像Ａの映像信号及び画像Ｂの映像信号が入力される。タイミング制御部１２６は、入力された映像信号を液晶表示パネル１３４へ入力するための信号に変換し、ゲートドライバ１３０およびデータドライバ１３２の動作に用いられるパルス信号を生成する。
【００８４】
また、映像信号制御部１２０は、２つ連続するように変換された画像Ａの映像信号及び画像Ｂの映像信号の切り換わりのタイミングを示すタイミング信号をシャッター制御部１２２へ送る。シャッター制御部１２２は、映像信号制御部１２０から送られたタイミング信号に基づいて、エミッタ１２４を発光させる駆動信号をエミッタ１２４へ送る。ここで、エミッタ１２４を発光させる駆動信号は、個々のユーザに対応する液晶シャッター２００ａ，２００ｂの開閉タイミングを含む信号である。シャッター制御部１２２は、映像信号制御部１２０から送られたタイミング信号と、入力部１３８から入力された情報に基づいて、液晶シャッター２００ａ，２００ｂの開閉タイミングを制御する。エミッタ１２４は、シャッター制御部１２２から送られた駆動信号に基づいて、左右の液晶シャッター２００ａ，２００ｂの開閉タイミングを示す光信号を鑑賞用メガネ２００に対して送信する。また、シャッター制御部１２２は、画像Ａと画像Ｂの切り換わりのタイミングを示すタイミング信号をバックライト制御部１２８へ送る。
【００８５】
図７のシステムにおいても、上述した立体画像表示観察システムと同様に液晶の各色毎の応答特性に応じて、バックライト１３６の点灯期間に対して液晶シャッター２００ａ，２００ｂの開口タイミングを可変する。これにより、画像の輝度を低下させることなく、目的とする色合いの画像を実現することが可能となる。
【００８６】
以上説明したように本実施形態によれば、液晶の各色毎の応答特性に応じて、バックライト１３６の点灯期間に対して液晶シャッター２００ａ，２００ｂの開口タイミングを可変するようにした。これにより、画像の輝度を低下させることなく、目的とする色合いの画像を実現することが可能となる。そして、表示パネル側で画像の色合いを調整する場合と比較すると、輝度の低下を大幅に抑えることが可能となる。
【００８７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８８】
１００    画像表示装置
１２０    映像制御部
１２２    シャッター制御部
１２８    バックライト制御部
１３４    液晶表示パネル
１３６    バックライト
２００    鑑賞用メガネ
２００ａ，２００ｂ    液晶シャッター
【図１】
2011069963.tif 000003
【図２】
2011069963.tif 000004
【図３】
2011069963.tif 000005
【図４】
2011069963.tif 000006
【図５】
2011069963.tif 000007
【図６】
2011069963.tif 000008
【図７】
2011069963.tif 000009